(57)【特許請求の範囲】
【請求項１】
記録媒体が収容されたカセットが装置本体の前面から引出し可能とされ、前記カセットが前記装置本体に収納されているときに前記装置本体の背面から突き出る画像形成装置において、
前記カセットに形成されたロック穴と、前記装置本体の背面側に取付けられたブラケットと、前記ブラケットに形成された穴を通して前記ロック穴へ挿入されるロッドに形成され該ロック穴へ掛止されるフックを有する錠前と、で構成され、前記カセットをロックするロック手段を備えると共に、
前記ロック穴は、前記カセットの前記装置本体の背面から突き出る側壁に形成されると共に、前記錠前は、前記装置本体の背面と前記カセットの側壁とによって形成されたスペースに配置されることを特徴とする画像形成装置。
【請求項２】
記録媒体が収容されたカセットが装置本体の前面から引出し可能とされ、前記カセットが前記装置本体に収納されているときに前記装置本体の背面から突き出る画像形成装置において、
前記カセットに形成されたロック穴と、前記装置本体の背面側に固定され、ロック・アンロック操作で前記ロック穴へロッドを挿抜する錠前と、で構成され、前記カセットをロック又はロック解除するロック手段を備えると共に、
前記ロック穴は、前記カセットの前記装置本体の背面から突き出る側壁に形成されると共に、前記錠前は、前記装置本体の背面と前記カセットの側壁とによって形成されたスペースに配置されることを特徴とする画像形成装置。
【請求項３】
記録媒体が収容されたカセットが装置本体の前面から引出し可能とされ、前記カセットが前記装置本体に収納されているときに前記装置本体の背面から突き出る画像形成装置において、
前記装置本体の背面から突き出る前記カセットを覆い、該装置本体の背面に当接することで前記カセットが引出されることを阻止するカバーと、
前記カバーに形成された第１ロック穴と、前記カセットに形成された第２ロック穴と、前記第１ロック穴を通して前記第２ロック穴へ挿入されるロッドに形成され該第２ロック穴に掛止されるフックを有する錠前と、で構成され、前記カバーと前記カセットをロックするロック手段を備えると共に、
前記第１ロック穴は、前記カセットの前記装置本体の背面から突き出る側壁に形成されると共に、前記錠前は、前記装置本体の背面と前記カセットの側壁とによって形成されたスペースに配置されることを特徴とする画像形成装置。
【発明の詳細な説明】
【技術分野】
【０００１】
本発明は、収容部に収容された記録媒体に画像を記録する画像形成装置に関する。
【背景技術】
【０００２】
金額等が未記入の有価証券用の用紙に金額等を印刷するプリンタや、機密事項が印刷された用紙から印刷情報を除去する除去装置において、用紙が収容された給紙トレイにロック装置を取り付けたり、給紙トレイが収容された給紙部の扉にロック装置を取り付けることで、用紙の盗難を防止しているものがある（特許文献１参照）。
【０００３】
一方、近年では、有価証券等の特別な用紙だけでなく、オフィス、店舗、学校、公共施設等で使用される普通紙等も盗難に遭うことがあり、特別な用紙を扱う装置のみならず、一般に普及しているプリンタ等に収容された用紙の盗難対策が必要となっている。
【０００４】
そこで、給紙トレイにロック装置を取り付けることで、用紙の盗難防止を図っている。しかし、ロック装置は、鍵の操作がしやすいように装置本体の前面（操作面側）に取り付けられているため、装置前面の美観を損なっている。また、ロック装置を装置本体内に取り付けると、実装スペースを確保するために装置本体を大幅に改造する必要がある。
【特許文献１】特開２００４−７５２９３号公報
【発明の開示】
【発明が解決しようとする課題】
【０００５】
本発明は、簡単な構造で、デザインを損ねることなく記録媒体が収容されたカセットをロックして、記録媒体の盗難を防止することを課題とする。
【課題を解決するための手段】
【０００６】
請求項１に記載の本発明は、記録媒体が収容されたカセットが装置本体の前面から引出し可能とされ、前記カセットが前記装置本体に収納されているときに前記装置本体の背面から突き出る画像形成装置において、前記カセットに形成されたロック穴と、前記装置本体の背面側に取付けられたブラケットと、前記ブラケットに形成された穴を通して前記ロック穴へ挿入されるロッドに形成され該ロック穴へ掛止されるフックを有する錠前と、で構成され、前記カセットをロックするロック手段を備えると共に、前記ロック穴は、前記カセットの前記装置本体の背面から突き出る側壁に形成されると共に、前記錠前は、前記装置本体の背面と前記カセットの側壁とによって形成されたスペースに配置されることを特徴としている。
【０００７】
請求項１の発明によれば、装置本体の背面に設けられたロック手段によって、カセットが装置本体に対してロックされるようになっている。
【０００８】
このように、ロック手段を装置本体の背面に設けることで、画像形成装置の前面のデザインを損ねることがない。また、ロック手段が装置本体の背面にあるため、窃盗犯が装置本体からカセットを引き出そうとしたとき、カセットがどうして引出せないのか、窃盗犯には瞬時に理解できない。このため、窃盗犯が犯行を断念する可能性が高くなる。
【００１０】
また、装置本体の背面側にブラケットを取り付け、このブラケットに形成された穴とカセットに形成されたロック穴に錠前のロッドを挿入し、ロッドに形成されたフックを、ロック穴に掛止させる。これにより、カセットが装置本体にロックされる。
【００１１】
請求項２に記載の本発明は、記録媒体が収容されたカセットが装置本体の前面から引出し可能とされ、前記カセットが前記装置本体に収納されているときに前記装置本体の背面から突き出る画像形成装置において、前記カセットに形成されたロック穴と、前記装置本体の背面側に固定され、ロック・アンロック操作で前記ロック穴へロッドを挿抜する錠前と、で構成され、前記カセットをロック又はロック解除するロック手段を備えると共に、前記ロック穴は、前記カセットの前記装置本体の背面から突き出る側壁に形成されると共に、前記錠前は、前記装置本体の背面と前記カセットの側壁とによって形成されたスペースに配置されることを特徴としている。
【００１２】
請求項２の発明によれば、装置本体の背面に設けられたロック手段によって、カセットが装置本体に対してロック又はロック解除されるようになっている。
【００１３】
このように、ロック手段を装置本体の背面に設けることで、画像形成装置の前面のデザインを損ねることがない。また、ロック手段が装置本体の背面にあるため、窃盗犯が装置本体からカセットを引き出そうとしたとき、カセットがどうして引出せないのか、窃盗犯には瞬時に理解できない。このため、窃盗犯が犯行を断念する可能性が高くなる。
【００１５】
また、カセットの装置本体の背面から突き出る側壁にロック穴を形成し、装置本体の背面側に固定された錠前のロッドを、ロック操作によってこのロック穴に挿入することで、装置本体からカセットを引き出せなくする。つまり、カセットを装置本体にロックするために、装置本体の外側に設けた錠前のロッドをロック穴に挿入させる構成を採用することで、装置本体内にロック手段の実装スペースを確保する必要がなくなる。このため、装置本体が必要以上に大型化しない。また、ロック手段が設けられていない装置にも、ロック手段を簡単に後付けできる。
【００１９】
また、カセットを装置本体に収納したとき、装置本体の背面から突き出る側壁に、ロック穴が形成されている。これにより、錠前のロッドをカセットの引き出し方向と直交する方向に挿入するだけで、カセットが装置本体にロックされる。つまり、ロッドの先端にロック穴に掛止されるフック部を設ける必要がないので、ロッドの形状が複雑にならない。
【００２６】
請求項３に記載の本発明は、記録媒体が収容されたカセットが装置本体の前面から引出し可能とされ、前記カセットが前記装置本体に収納されているときに前記装置本体の背面から突き出る画像形成装置において、前記装置本体の背面から突き出る前記カセットを覆い、該装置本体の背面に当接することで前記カセットが引出されることを阻止するカバーと、前記カバーに形成された第１ロック穴と、前記カセットに形成された第２ロック穴と、前記第１ロック穴を通して前記第２ロック穴へ挿入されるロッドに形成され該第２ロック穴に掛止されるフックを有する錠前と、で構成され、前記カバーと前記カセットをロックするロック手段を備えると共に、前記第１ロック穴は、前記カセットの前記装置本体の背面から突き出る側壁に形成されると共に、前記錠前は、前記装置本体の背面と前記カセットの側壁とによって形成されたスペースに配置されることを特徴としている。
【００２７】
請求項３の発明によれば、ロック手段によって、カセットとカバーをロックすると、カバーが装置本体の背面に当接して、カセットが装置本体から引き出せなくなる。つまり、カセットの装置本体から突き出た部分をカバーで覆い、ロック手段でカセットとカバーをロックすると、カセットからカバーを外せなくなると同時に、装置本体からカセットを引き出せなくなる。これにより、カセット内の記録媒体の盗難が防止できる。
【００３１】
また、カバーに形成された第１ロック穴と、カセットに形成された第２ロック穴に錠前のロッドを挿入し、ロッドに形成されたフックを、ロック穴に掛止させる。これにより、カセットがカバーにロックされて、装置本体からカセットを引き出すことができなくなる。
【発明の効果】
【００３２】
本発明は上記構成としたので、簡単な構造で、デザインを損ねることなく記録媒体が収容されたカセットをロックして、記録媒体の盗難を防止できる。
【発明を実施するための最良の形態】
【００３３】
本発明における画像形成装置の第１の実施形態に係る画像形成装置１０について説明する。
【００３４】
図１に示すように、画像形成装置１０の本体フレーム１２の前面の下部には、給紙カセット１８が配置されている。給紙カセット１８には記録用紙が収容されるようになっており、給紙カセット１８から給紙された記録用紙は、図示しない搬送手段により搬送され、画像形成装置１０内の図示しない画像形成部で画像が形成される。そして、画像が形成された記録用紙は、本体フレーム１２の上部の排出部１４から排出される。
【００３５】
給紙カセット１８は、記録用紙が収容可能な箱状とされ、本体フレーム１２に形成された給紙口１６から矢印Ｒ方向に向かって引き出し可能とされている。給紙カセット１８の前面（引き出し面）には、給紙口１６を塞ぐサイズのフロントパネル１９が設けられている。このフロントパネル１９の下部には指掛部１９Ａが形成されており、給紙カセット１８内に記録用紙を供給する際に、ユーザがこの指掛部１９Ａに手（指）を掛けて給紙カセット１８を簡単に本体フレーム１２から矢印Ｒ方向（手前）に引き出せるようになっている。
【００３６】
給紙カセット１８の長手方向（給紙方向に沿った側）のサイズは、本体フレーム１２の長手方向（前後方向）のサイズよりも長い構成とされている。このため、給紙カセット１８を本体フレーム１２に装着したとき、図２に示すように、給紙カセット１８の奥壁１８Ａが、本体フレーム１２の背面１２Ａよりも突出するようになっている。これにより、本体フレーム１２に給紙カセット１８を装着すると、本体フレーム１２の背面１２Ａと、給紙カセット１８の側壁１８Ｂの間にスペースが形成される。
【００３７】
本体フレーム１２にはブラケット２０が取り付けられている。ブラケット２０は、本体フレーム１２の背面１２Ａにネジ留めされる中央片２０Ａと、中央片２０Ａの一方の端部から直角方向に延設され、本体フレーム１２の側面１２Ｂにネジ留めされる右片２０Ｂと、中央片２０Ａの他方の端部から、右片２０Ｂの延設方向とは反対方向に延設されて、給紙カセット１８の側壁１８Ｂに併設される左片２０Ｃとで構成されている。
【００３８】
図３には、画像形成装置１０を上から見た部分断面図が示されている。図３（Ａ）に示すように、ブラケット２０の左片２０Ｃには、後述する錠前２４が取り付けられるようになっている。そして、左片２０Ｃに形成された円形状の孔２２に、錠前２４のロッド２６が挿通されるようになっている。
【００３９】
一方、給紙カセット１８の側壁１８Ｂには、ブラケット２０の左片２０Ｃの孔２２に対応する位置に、左片２０Ｃに形成された孔２２とほぼ同サイズの円形状のロック穴４４が形成されている。このロック穴４４には、ブラケット２０の左片２０Ｃの孔２２に挿通される錠前２４のロッド２６が挿通可能とされている。なお、ロック穴４４に挿通されたロッド２６は、給紙カセット１８内の記録用紙と干渉しない構成とされている。
【００４０】
ところで、図２に示すように、本体フレーム１２は、本体カバー２８によって覆われている。この本体カバー２８の背面２８Ａの略中央部には、給紙カセット１８が露出可能なサイズの開口部３０が形成されており、本体フレーム１２に給紙カセット１８を装着した際に、給紙カセット１８の奥壁側が、この開口部３０から露出するようになっている。
【００４１】
また、この開口部３０にはカバー３２が取り付けられており、カバー３２によって、本体フレーム１２から突出した給紙カセット１８が覆われて、埃や湿気から給紙カセット１８内の記録用紙が保護されている。
【００４２】
ところで、前述したように、ブラケット２０の左片２０Ｃには、錠前２４が取り付けられるようになっている。錠前２４は円筒状のヘッド部３４を有しており、ヘッド部３４の一方の端面から突出したロッド２６の先端には、フック２６Ａが一体に形成されている。
【００４３】
また、ヘッド部３４の他方の端面には、鍵孔２５が形成されている。この鍵孔２５には、鍵２７が挿入されるようになっており、鍵２７の回動操作によってロッド２６が回転する。
【００４４】
このような構成により、図３（Ａ）に示すように、給紙カセット１８の側壁１８Ｂに形成されたロック穴４４及び、ブラケット２０の左片２０Ｃに形成された孔２２に、錠前２４のロッド２６を挿通させ、鍵孔２５に挿入した鍵２７を回動させて、ロッド２６を回転させると、図３（Ｂ）に示すように、フック２６Ａが側壁１８Ｂの内壁に当接し、ロッド２６がロック穴４４から抜け出さないようになっている。このとき、ヘッド部３４のロッド２６の周囲に設けられた円柱状の凸片３５と、ロッド２６のフック２６Ａとの間で、給紙カセット１８の側壁１８Ｂとブラケット２０の左片２０Ｃを挟持して、錠前２４が給紙カセット１８及びブラケット２０に対して回転しないようになっている。
【００４５】
これにより、給紙カセット１８の矢印Ｒ方向の移動が阻止されて、給紙カセット１８はブラケット２０の左片２０Ｃに固定された状態となる。つまり、錠前２４によって給紙カセット１８がロックされ、給紙カセット１８を本体フレーム１２から引き出せなくなる。
【００４６】
なお、錠前２４は、ブラケット２０の左片２２Ｃに取り付けられて、本体フレーム１２の背面１２Ａと給紙カセット１８の側壁１８Ｂとの間に形成されたスペースに位置するため、邪魔にならない。
【００４７】
一方、図１及び図２に示すように、錠前２４のヘッド部３４の側面には、ワイヤ３８が連結されている。ワイヤ３８の先端にはループ３８Ａが形成されており、このループ３８Ａに画像形成装置１０が載置されたテーブル４０の脚４２が挿通可能とされている。
【００４８】
これにより、錠前２４によって、給紙カセット１８が本体フレーム１２にロックされて、給紙カセット１８内の記録用紙の盗難が防止されると共に、ワイヤ３８によって画像形成装置１０がテーブル４０に繋げられ、画像形成装置１０本体の盗難も防止される。
【００４９】
次に、本発明の第１の実施形態の作用について説明する。
【００５０】
画像形成装置１０の非駆動時などに、本体フレーム１２の背面側に錠前２４を取り付けて、本体フレーム１２から給紙カセット１８を引き出せないようにロックする。これにより、給紙カセット１８内の記録用紙の盗難が防止できる。
【００５１】
このように、本体フレーム１２の背面１２Ａ側に錠前２４を配置することで、画像形成装置１０の前面のデザインを損ねることがない。また、錠前２４が本体フレーム１２の背面１２Ａ側にあるため、窃盗犯が本体フレーム１２から給紙カセット１８を引き出そうとしたとき、給紙カセット１８がどうして引出せないのか、窃盗犯には瞬時に理解できない。このため、窃盗犯が犯行を断念する可能性が高くなる。
【００５２】
また、給紙カセット１８を本体フレーム１２にロックするために、本体フレーム１２の外側に設けた錠前２４のロッド２６を、給紙カセット１８の側壁１８Ｂに形成したロック穴４４に挿入する構成を採用することで、本体フレーム１２の内部に錠前２４の実装スペースを確保する必要がなくなる。このため、本体フレーム１２が必要以上に大型化しない。さらに、給紙カセット１８を本体フレーム１２の内部にロックする手段が設けられていない画像形成装置においても、錠前２４を簡単に後付けできる。
【００５３】
また、給紙カセット１８を本体フレーム１２に収納したとき、本体フレーム１２の背面１２Ａから突き出る給紙カセット１８の側壁１８Ｂに、錠前２４のロッド２６を挿通するロック穴４４を設けることで、錠前２４のロッド２６を給紙カセット１８の引き出し方向と直交する方向に挿入するだけで、給紙カセット１８が本体フレーム１２にロックされる。
【００５４】
さらに、本実施形態では、錠前２４にワイヤ３８を連結し、このワイヤ３８の先端のループ３８Ａに、画像形成装置１０が載置されたテーブル４０の脚４２を挿通させることで、画像形成装置１０の盗難を防止する構成としたが、ワイヤ３８は必ずしも画像形成装置１０が載置されたテーブル４０と接続させる必要はなく、重量のある部材にワイヤ３８を接続させることで、画像形成装置１０を移動させにくくでき、盗難を防止できる。
【００５５】
なお、本体フレーム１２から錠前２４を取り外すことで、給紙カセット１８が引き出せるようになる。つまり、給紙カセット１８は矢印Ｒ方向に本体フレーム１２から引き出し可能とされ、給紙カセット１８内に記録用紙を補充したり、ジャム処理等を行うことができる。
【００５６】
ところで、本実施形態では、本体フレーム１２の背面１２Ａ及び側面１２Ｂにネジ留めすることで、ブラケット２０を本体フレーム１２に固定させる構成としたが、必ずしも本体フレーム１２の背面１２Ａ及び側面１２Ｂの二箇所で固定させる形状のブラケットを用いる必要はなく、例えば、Ｌ字型のブラケットを用いて、背面１２Ａにのみブラケットの一片をネジ留めしてもよい。
【００５７】
また、本実施形態では、錠前２４をブラケット２０に取り付け、この錠前２４によってブラケット２０と給紙カセット１８を固定させ、給紙カセット１８を本体フレーム１２にロックさせる構成としたが、必ずしも錠前２４をブラケット２０に取り付ける必要はなく、給紙カセット１８の側壁１８Ｂに形成されたロック穴４４に錠前を取り付け、給紙カセット１８を引き抜こうとする際に、錠前のヘッド部が本体フレームに引っ掛かることで、給紙カセット１８の本体フレーム１２からの引き抜きを阻止する構成としてもよい。
【００５８】
また、錠前としては、本実施形態のロッドタイプ（シリンダータイプ）のものに限定されず、給紙カセット１８に形成されたロック穴４４に取り付くものであれば、南京錠でもよい。さらに、錠前２４のロッド２６をロック穴４４に挿通させるのではなく、ネジ穴に挿通させてもよい。また、鍵２７によって施錠するタイプの錠前２４を用いて説明したが、ダイヤル式によって施錠するタイプの錠前を用いることもできる。
【００５９】
ところで、給紙カセット１８を覆っているカバー３２は、本体カバー２８から簡単に取り外しができる構成とされている場合がある。このとき、給紙カセット１８とカバー３２とを共に錠前によってロックしておけば、カバー３２を取り外して、本体フレーム１２の背面から給紙カセット１８内の記録用紙を取り出すことができなくなる。
【００６０】
次に、本発明の第２の実施形態に係る画像形成装置５０について説明する。なお、第１の実施形態と同様の部分についての説明は割愛する。
【００６１】
図４に示すように、給紙カセット５４の長手方向（給紙方向に沿った側）のサイズは、本体フレーム５２の長手方向のサイズよりもほぼ同じ長さとされている。このため、給紙カセット５４を本体フレーム５２に装着したとき、給紙カセット５４の奥壁５４Ａが、本体フレーム５２の背面５２Ａと略同一面上に位置するようになっている。
【００６２】
本体フレーム５２の背面５２Ａには、矩形状のブラケット５６の一方の端部がネジ留めされている。このブラケット５６の他方の端部は給紙カセット５４の奥壁５４Ａ側に位置しており、孔５８が形成されている。孔５８には、錠前６０のロッド６２が挿入されるようになっており、孔５８に挿入された錠前６０のロッド６２は、図５（Ａ）に示すように、給紙カセット５４の奥壁５４Ａに形成されたロック穴６４に挿通される。
【００６３】
錠前６０のロッド６２には、幅方向の一方の端部にフック６２Ａが設けられている。ロッド６２を給紙カセット５４内に入り込ませ、鍵６３の回動操作によってロッド６２を９０度回転させると、図５（Ｂ）に示すように、フック６２Ａも９０度回転移動して、背面５２Ａの内壁に当接し、ロッド６２がロック穴６４から抜け出せないようになっている。
【００６４】
このような構成により、錠前６０によって給紙カセット５４の奥壁５４Ａがブラケット５６に固定された状態となる。つまり、錠前６０で給紙カセット５４が本体フレーム５２に対してロックされるので、給紙カセット５４を本体フレーム５２から引き出すことができなくなる。
【００６５】
このように、給紙カセット５４の奥壁５４Ａと本体フレーム５２の背面５２Ａとが略同一面上に位置している場合には、給紙カセット５４を本体フレーム５２に固定させるためのブラケット５６を板状とすることができる。つまり、ブラケット５６の形状が複雑にならない。
【００６６】
次に、本発明の第３の実施形態に係る画像形成装置６８について説明する。なお、第１の実施形態と同様の部分についての説明は割愛する。
【００６７】
図６及び図７に示すように、ブラケット２０の左片２０Ｃには、錠前７０が取り付けられている。錠前７０は円筒状のヘッド部７２を有しており、ヘッド部７２の一方の端面が、ブラケット２０の左片２０Ｃに、ネジ２３によって固定されている。
【００６８】
ヘッド部７２内には、一方の端面から突出可能な状態でロッド７４が収納されている。また、ヘッド部７２の他方の端面には、鍵孔７６が形成されている。この鍵孔７６には、鍵７７が挿入されるようになっており、鍵７７の回動操作によって、図７（Ｂ）に示すように、ヘッド部７２内に収容されたロッド７４が、ヘッド部７２から突出される構成とされている。
【００６９】
このとき、ヘッド部７２から突出したロッド７４は、ブラケット２０の左片２０Ｃに形成された孔２２及び給紙カセット１８に形成されたロック穴４４に挿通され、本体フレーム１２に収納された給紙カセット１８内部に入り込む。
【００７０】
これにより、給紙カセット１８の矢印Ｒ方向の移動が阻止されて、給紙カセット１８はブラケット２０の左片２０Ｃに固定された状態となる。つまり、錠前７０によって給紙カセット１８がロックされ、給紙カセット１８を本体フレーム１２から引き出せなくなる。
【００７１】
次に、本発明の第３の実施形態の作用について説明する。
【００７２】
画像形成装置１０の本体フレーム１２から給紙カセット１８を引き出す際には、図７（Ａ）に示すように、錠前７０のロッド７４をヘッド部７２に収納させた状態にする。これにより、給紙カセット１８は矢印Ｒ方向に本体フレーム１２から引き出し可能とされ、給紙カセット１８内に記録用紙を補充したり、ジャム処理等を行うことができる。
【００７３】
一方、図７（Ｂ）に示すように、画像形成装置１０の非駆動時などに、鍵７７の回動操作により、錠前７０のロッド７４をヘッド部７２から突出させて、本体フレーム１２から給紙カセット１８を引き出せないようにロックする。これにより、給紙カセット１８内の記録用紙の盗難が防止できる。
【００７４】
次に、本発明の第４の実施形態に係る画像形成装置７８について説明する。なお、第１の実施形態と同様の部分についての説明は割愛する。
【００７５】
図８に示すように、カバー３２の側壁３２Ａには、孔７９が形成されており、錠前２４のロッド２６が挿通可能とされている。
【００７６】
一方、給紙カセット１８の側壁１８Ｂには、カバー３２の孔に形成された孔７９に対応する位置に、ロック穴８０が形成されている。このロック穴８０には、孔７９に挿通される錠前２４のロッド２６が挿通可能とされている。
【００７７】
このような構成により、給紙カセット１８の側壁１８Ｂに形成されたロック穴８０及び、カバー３２の側壁３２Ａに形成された孔７９に、錠前２４のロッド２６を挿通させ、鍵孔２５に挿入した鍵２７を回動させて、ロッド２６を回転させると、フック２６Ａが側壁１８Ｂの内壁に当接し、ロッド２６がロック穴８０から抜け出さないようになっている。これにより、錠前２４によって給紙カセット１８がロックされ、給紙カセット１８を本体フレーム１２から引き出せなくなる。
【００７８】
このように、本体カバー２８に一体に設けられたカバー３２と給紙カセット１８に錠前２４を取り付けることで、本体フレーム１２から給紙カセット１８が引き出せなくなる。
【００７９】
また、本体カバー２８に一体に設けられたカバー３２に、給紙カセット１８がロックされるので、給紙カセット１８を本体カバー２８から引き出すことができず、用紙の盗難が防止できる。
【００８０】
このように、ブラケット等を用いることなく、給紙カセット１８を本体カバー２８に対して（本体カバー２８から突設された給紙カセット１８に）ロックできるので、部品点数が必要以上に多くならない。
【００８１】
次に、本発明の第５の実施形態に係る画像形成装置８２について説明する。なお、第１の実施形態と同様の部分についての説明は割愛する。
【００８２】
図９及び図１０に示すように、装置本体８４の背面８４Ａには、給紙カセット８６が挿通可能とされた開口部８８が形成されており、装置本体８４に給紙カセット８６を装着すると、給紙カセット８６の奥壁側が開口部８８から露出するようになっている。
【００８３】
給紙カセット８６の開口部８８から露出した部分には、カバー９０が取り付けられるようになっている。カバー９０は略コ字状とされ、側壁９０Ａが給紙カセット８６の側壁８６Ａに形成された段差部９２に係合される。そして、カバー９０を給紙カセット８６に取り付けた状態で、給紙カセット８６を装置本体８４から引き出そうとすると、カバー９０が開口部８８に引っ掛かり、給紙カセット８６の引き出しが阻止されるようになっている。
【００８４】
給紙カセット８６の側壁８６Ａに形成された段差部９２と、カバー９０の側壁９０Ａには、それぞれロック穴９４、９６が形成されている。このロック穴９４、９６には、錠前２４のロッド２６が挿通可能とされている。
【００８５】
このような構成により、給紙カセット８６及びカバー９０のロック穴９４、９６に錠前２４のロッド２６を挿通させ、鍵孔２５に挿入した鍵２７を回動させてロッド２６を回転させると、フック２６Ａが側壁８６Ａの内壁に当接し、ロッド２６がロック穴９４、９６から抜け出さないようになっている。これにより、錠前２４によってカバー９０が給紙カセット１８にロックされるので、カバー９０を開いて給紙カセット８６内の用紙を取り出すことができなくなる。
【００８６】
このように、給紙カセット８６にカバー９０を取り付け、給紙カセット８６とカバー９０に錠前２４を取り付けることで、給紙カセット８６とカバー９０をロックすると共に、装置本体８４から給紙カセット８６を引き出せなくして、給紙カセット８６内の用紙の盗難を防止する。
【００８７】
次に、本発明の第６の実施形態に係る画像形成装置１５０について説明する。なお、第１の実施形態と同様の部分についての説明は割愛する。
【００８８】
図１１及び図１２に示すように、装置本体１５２の背面１５２Ａには、給紙カセット１５４が挿通可能とされた開口部１５６が形成されており、装置本体１５２に給紙カセット１５４を装着すると、給紙カセット１５４の奥壁側が開口部１５６から露出するようになっている。
【００８９】
装置本体１５２内には、矩形箱状のカバー１５８が設けられている。カバー１５８は、図示しないガイドレールによって、給紙カセット１５４の引き出し方向に沿ってスライド可能とされている。これにより、装置本体１５２に給紙カセット１５４を装着すると、図１３（Ｂ）に示すように、給紙カセット１５４に押されて、カバー１５８が装置本体１５２の開口部１５６から露出するようになっている。
【００９０】
図１１に示すように、カバー１５８の給紙カセット１５４の奥壁と対向する面（裏面）には、磁石１６８が設けられており、装置本体１５２に給紙カセット１５４を装着すると、磁石１６８が金属製の給紙カセット１５４に吸引されて、カバー１５８の裏面と給紙カセット１５４の奥壁が密着する。これにより、装置本体１５２から給紙カセット１５４を引き出すと、カバー１５８も給紙カセット１５４の引き出し方向に移動する。
【００９１】
また、図１３（Ａ）に示すように、装置本体１５２の内側壁には、ストッパー１７０が設けられている。ストッパー１７０は、カバー１５８が装置本体１５２内に収容された状態（装置本体１５２の開口部１５６から露出していない状態）にあるとき、カバー１５８の端面が当接する位置に設けられている。これにより、図１３（Ｃ）に示すように、装置本体１５２から給紙カセット１５４を引き出すと、ストッパー１７０によってカバー１５８の引き抜き方向の移動が阻止され、カバー１５８が給紙カセット１５４と一緒に、装置本体１５２から引き出されないようになっている。
【００９２】
図１１及び図１２に示すように、給紙カセット１５４の側壁１５４Ａと、カバー１５８の側壁１５８Ａには、それぞれロック穴１６４、１６６が形成されている。このロック穴１６４、１６６には、錠前２４のロッド２６が挿通可能とされている。
【００９３】
このような構成により、給紙カセット１５４及びカバー１５８のロック穴１６４、１６６に錠前２４のロッド２６を挿通させ、鍵孔２５に挿入した鍵２７を回動させてロッド２６を回転させると、フック２６Ａが側壁１５４Ａの内壁に当接し、ロッド２６がロック穴１６４、１６６から抜け出さないようになっている。これにより、図１２及び図１４（Ａ）に示すように、錠前２４によってカバー１５８が給紙カセット１５４にロックされ、カバー１５８を開いて給紙カセット８６内の用紙を取り出せなくなる。
【００９４】
また、給紙カセット１５４を装置本体１５２から引き出そうとすると、図１４（Ｂ）に示すように、給紙カセット１５４を途中まで引き出したところで、錠前２４が装置本体１５２の背面１５２Ａにぶつかって、給紙カセット１５４の引き出しが阻止される。このとき、給紙カセット１５４の手前側（引き出し方向側）から給紙カセット１５４の内部が露出するが、給紙カセット１５４内の手前側には用紙押さえ等があるため、少しだけ露出した隙間から、給紙カセット１５４内の用紙を取り出すことはできない。
【００９５】
このように、装置本体１５２に設けられたカバー１５８と給紙カセット１５４に錠前２４を取り付けることで、給紙カセット１５４とカバー１５８をロックすると共に、装置本体１５２から給紙カセット１５４を引き出せなくして、給紙カセット１５４内の用紙の盗難を防止する。
【図面の簡単な説明】
【００９６】
【図１】第１の実施形態の画像形成装置の構成を示す斜視図である。
【図２】第１の実施形態の画像形成装置を背面側から見た斜視図である。
【図３】第１の実施形態の画像形成装置の上面図である。
【図４】第２の実施形態の画像形成装置を背面側から見た斜視図である。
【図５】第２の実施形態の画像形成装置の上面図である。
【図６】第３の実施形態の画像形成装置を背面側から見た斜視図である。
【図７】第３の実施形態の画像形成装置の上面図である。
【図８】第４の実施形態の画像形成装置を背面側から見た斜視図である。
【図９】第５の実施形態の画像形成装置を背面側から見た斜視図である。
【図１０】第５の実施形態の画像形成装置を背面側から見た斜視図である。
【図１１】第６の実施形態の画像形成装置を背面側から見た斜視図である。
【図１２】第６の実施形態の画像形成装置を背面側から見た斜視図である。
【図１３】第６の実施形態の画像形成装置の上面図である。
【図１４】第６の実施形態の画像形成装置の上面図である。
【符号の説明】
【００９７】
１０  画像形成装置
１２  本体フレーム（装置本体）
１８  給紙カセット（記録媒体収容部）
１８Ｂ  側壁（周壁）
２０  ブラケット
２４  錠前（ロック手段）
２６  ロッド
２６Ａ  フック
３２  カバー
３８  ワイヤ
４０  テーブル（載置台）
４４  ロック穴（ロック手段）
５０  画像形成装置
５２  本体フレーム（装置本体）
５４  給紙カセット（記録媒体収容部）
５４Ａ  奥壁（周壁）
５６  ブラケット
５８  ロック穴
６０  錠前（ロック手段）
６２  ロッド
６８  画像形成装置
７０  錠前
７４  ロッド
７８  画像形成装置
７９  孔（第１ロック穴）
８０  ロック穴（第２ロック穴）
８２  画像形成装置
８４  装置本体
８６  給紙カセット（記録媒体収容部）
９０  カバー
９４  ロック穴（第２ロック穴）
９６  ロック穴（第１ロック穴）
１５０  画像形成装置
１５２  装置本体
１５４  給紙カセット（記録媒体収容部）
１５８  カバー
１６４  ロック穴（第２ロック穴）
１６６  ロック穴（第１ロック穴）
１６８  磁石（係合手段）
１７０  ストッパー
【図１】
0004678329.tif 000002
【図２】
0004678329.tif 000003
【図３】
0004678329.tif 000004
【図４】
0004678329.tif 000005
【図５】
0004678329.tif 000006
【図６】
0004678329.tif 000007
【図７】
0004678329.tif 000008
【図８】
0004678329.tif 000009
【図９】
0004678329.tif 000010
【図１０】
0004678329.tif 000011
【図１１】
0004678329.tif 000012
【図１２】
0004678329.tif 000013
【図１３】
0004678329.tif 000014
【図１４】
0004678329.tif 000015